(57)【特許請求の範囲】
【請求項１】
煙流入孔を形成し、煙を検知する煙検知手段を内装した煙感知室と、前記煙検知手段の検知信号に基づいて火災を判別する制御手段と、前記煙流入孔を閉塞するため前記煙感知室に覆い被せられるカバー体と、該カバー体が着脱自在に取付けられるカバー体取付部とを備え、前記制御手段での火災の判別結果に応じて火災警報を鳴動する構成とされた煙感知器であって、
前記カバー体の取外しを促すための取外要求信号を出力する報知手段と、前記カバー体取付部に設けられ、該カバー体の取付けの有無を検知するカバー体検知手段とを備えており、
前記制御手段は、前記カバー体検知手段が前記カバー体の取付け有を検知した後、その状態が、予め設定された待機時間継続したときには、前記報知手段に前記取外要求信号を出力させることを特徴とする煙感知器。
【請求項２】
請求項１において、
前記報知手段は、音または音声メッセージを鳴動させることで前記取外要求信号を出力する構成とされている煙感知器。
【請求項３】
請求項１または２において、
前記報知手段は、光源を点灯あるいは点滅させることで前記取外要求信号を出力する構成とされている煙感知器。
【請求項４】
請求項１乃至３のいずれか１項において、
複数の異なる前記待機時間を記憶する記憶手段と、該複数の待機時間を選択設定する選択設定手段とを更に備えており、
前記制御手段は、前記選択設定手段によって選択設定された待機時間に応じて、前記取外要求信号を前記報知手段に出力させる構成とされている煙感知器。
【請求項５】
請求項１乃至４のいずれか１項において、
前記制御手段は、前記取外要求信号を前記報知手段に出力させた後に、前記カバー体検知手段が前記カバー体の取付け無を検知したときには、前記取外要求信号の出力を停止させるようにしている煙感知器。
【発明の詳細な説明】
【技術分野】
【０００１】
本発明は、煙を検知して、火災警報を行う煙感知器の改良に関する。
【背景技術】
【０００２】
従来の煙感知器としては、屋内の天井面や壁面等に配設され、煙を検知して火災警報を行うものが知られている。
このような煙感知器は、一般オフィスビルや公共スペースなどに配設され、火災警報器として使用されたり、近時においては、一般戸建て住宅や集合住宅の各戸などにも住宅用火災警報器として使用されたりしている。
上記煙感知器は、例えば、煙流入孔を形成した煙感知室に内装された煙検知手段が、煙を検知すると、その検知信号に基づいて、制御手段で火災を判別し、該制御手段での判別結果に応じて、火災警報を鳴動する構成とされている。
【０００３】
上記煙感知室に内装された煙検知手段は、受光部と発光部とを有し、該発光部から定期的に発光される光が、煙流入孔から流入してきた煙によって散乱し、この散乱光が前記受光部によって受光されることで、煙を検知している。
しかしながら、例えば、家人がタバコを吸ったり、害虫駆除用の燻煙を焚いたりすると、これらの実火災による煙とは異なる非火災煙を検知し、誤報を報じてしまうという問題があった。
【０００４】
上記のような問題は、例えば、煙検知手段が検知した煙検知信号に対して、所定の閾値を設け、閾値を超えたときに火災警報を出力させるようにして、その閾値を高く設定することで防止することが考えられるが、感度が悪くなり、煙感知器が有する本来の機能を、実火災時に発揮できない恐れがある。あるいは、煙感知室の煙流入孔をカバーなどによって塞いで煙の流入を阻止して、煙の検知をさせないようにすることも考えられるが、カバーの取り忘れ等により、上記同様、煙感知器が有する本来の機能を、実火災時に発揮できない恐れがある。
【０００５】
下記特許文献１では、上記のような問題を解決するため、以下の構成とした住宅用火災警報器が提案されている。
この特許文献１で提案されている住宅用火災警報器は、火災検知用開口部を有した火災の検知部と、火災を報知する警報ブザーと、火災検知機能を遮断するために操作されるマスク操作スイッチと、開口部用遮断カバーとを備えている。
上記住宅用火災警報器では、マスク操作スイッチの操作がなされると、開口部用遮断カバーが作動して、火災検知用開口部を所定時間、閉塞する。この開口部用遮断カバーが火災検知用開口部を閉塞することで、火災検知機能が遮断され、所定時間の間は、火災要因が発生しても火災警報を出力させないようにしている。また、所定時間経過後は、開口部用遮断カバーを元の位置に復帰させ、火災要因の検知を可能としている。
これにより、実火災以外の火災要因（害虫駆除燻煙等）を発生させる場合には、予めマスク操作スイッチの操作により火災検知機能を所定時間、遮断させることで誤報の発生を防止できる、と説明されている。
【特許文献１】特開２００５−２３３９１２号公報（図４参照）
【発明の開示】
【発明が解決しようとする課題】
【０００６】
しかし、上記特許文献１に記載の住宅用火災警報器では、開口部用遮断カバーを住宅用火災警報器自体に設ける必要があり、住宅用火災警報器自体の構造が複雑化、大型化するという問題があった。
また、上記所定時間経過後に実火災以外の火災要因の発生が未だ継続している場合には、火災警報の出力がなされ、よって、誤報を出力する可能性があった。
【０００７】
本発明は、前記問題を解決するために提案されたもので、その目的は、実火災以外の煙検知による誤報を防止するとともに、そのために取付けられるカバー体の取り忘れを防止し得る煙感知器を提供することにある。
【課題を解決するための手段】
【０００８】
前記目的を達成するために、本発明に係る請求項１に記載の煙感知器は、煙流入孔を形成し、煙を検知する煙検知手段を内装した煙感知室と、前記煙検知手段の検知信号に基づいて火災を判別する制御手段と、前記煙流入孔を閉塞するため前記煙感知室に覆い被せられるカバー体と、該カバー体が着脱自在に取付けられるカバー体取付部とを備え、前記制御手段での火災の判別結果に応じて火災警報を鳴動する構成とされた煙感知器であって、前記カバー体の取外しを促すための取外要求信号を出力する報知手段と、前記カバー体取付部に設けられ、該カバー体の取付けの有無を検知するカバー体検知手段とを備えており、前記制御手段は、前記カバー体検知手段が前記カバー体の取付け有を検知した後、その状態が、予め設定された待機時間継続したときには、前記報知手段に前記取外要求信号を出力させることを特徴とする。
【０００９】
請求項２では、請求項１において、前記報知手段は、音または音声メッセージを鳴動させることで前記取外要求信号を出力する構成とされている。
請求項３では、請求項１または２において、前記報知手段は、光源を点灯あるいは点滅させることで前記取外要求信号を出力する構成とされている。
【００１０】
請求項４では、請求項１乃至３のいずれか１項において、複数の異なる前記待機時間を記憶する記憶手段と、該複数の待機時間を選択設定する選択設定手段とを更に備えており、前記制御手段は、前記選択設定手段によって選択設定された待機時間に応じて、前記取外要求信号を前記報知手段に出力させる構成とされている。
請求項５では、請求項１乃至４のいずれか１項において、前記制御手段は、前記取外要求信号を前記報知手段に出力させた後に、前記カバー体検知手段が前記カバー体の取付け無を検知したときには、前記取外要求信号の出力を停止させるようにしている。
【発明の効果】
【００１１】
請求項１乃至５に記載の本発明によれば、煙感知器は、前記煙流入孔を閉塞するため前記煙感知室に覆い被せられるカバー体と、該カバー体が着脱自在に取付けられるカバー体取付部とを備えているので、喫煙の際や害虫駆除燻煙を焚く際等、非火災煙を発生させる際に、該カバー体を取付けることで、誤報を防止できる。また、このように、カバー体を、煙感知器本体とは、別体とすることで、煙感知器自体の構造は、複雑化、大型化することがなく、簡易な構成となる。
さらに、該カバー体が取付けられている状態で、予め設定された待機時間を経過すると、該カバー体の取外しを促すための取外要求信号を、報知手段に出力させるので、カバー体の取り忘れを家人等に促すことができ、よって、カバー体の取り忘れを防止できる。
【００１２】
請求項２では、音または音声メッセージを鳴動させることで取外要求信号を出力するので、カバー体の取外しを、家人等の聴覚に訴えることができる。
また、火災警報を鳴動するためのスピーカを、取外要求信号を出力するための報知手段として共用するようにすれば、煙感知器自体の構造が簡略化され、大型化することもない。この場合は、火災警報時の鳴動態様とは異なる鳴動態様とすることで、家人に対して火災警報ではなく、カバー体の取外しを促すための鳴動であることを、聴覚を通じて認識させることができる。
【００１３】
請求項３では、光源を点灯あるいは点滅させることで前記取外要求信号を出力するので、カバー体の取外しを、家人等の視覚に訴えることができる。
また、火災警報を報知するための光源を備えたものでは、その光源を、取外要求信号を出力するための光源として共用するようにすれば、煙感知器自体の構造が簡略化され、大型化することもない。この場合は、火災警報時の点灯態様とは異なる点灯態様とすることで、家人に対して火災警報ではなく、カバー体の取外しを促すための報知であることを、視覚を通じて認識させることができる。
さらに、前記取外要求信号として光源を点灯あるいは点滅させることによってのみ出力するようにすれば、取外要求信号として音などを出力する場合と比べて、家人を驚かせたりすることがなく、また、近隣の住民へ不安感や不快感を与えたりすることがない。
あるいは、取外要求信号として、上記のように音または音声メッセージを鳴動させるとともに、光源を点灯あるいは点滅させるようにすれば、カバー体の取外しを、家人に対して強く促すことができる。
【００１４】
請求項４では、予め複数の異なる待機時間を記憶させておき、その待機時間を選択設定できるようにしているので、非火災煙を発生させる要因、例えば、喫煙、害虫駆除用の燻煙等に応じて、待機時間の選択ができる。これにより、不必要に取外要求信号の出力がなされることを防止できる。
【００１５】
請求項５では、前記取外要求信号を前記報知手段に出力させた後、前記カバー体検知手段が前記カバー体の取付け無を検知したときに、該取外要求信号の出力の停止がなされるので、カバー体を取外せば、直ちに取外要求信号の出力が停止され、省エネルギ化が図れる。
【発明を実施するための最良の形態】
【００１６】
以下に、本発明の最良の実施の形態について、図面を参照しながら説明する。
図１は、第１実施形態に係る煙感知器の内部構成を示すブロック図、図２は、本実施形態に係る煙感知器を示し、カバー体が取付けられていない状態を示す概略斜視図、図３は、カバー体が取付けられた状態を示す概略斜視図、図４は、本実施形態に係る煙感知器の基本動作の一例を示すフローチャートである。
尚、図２及び図３においては、煙感知器Ａが天井面に取付けられた状態を図示しており、図２では、煙感知器本体１０は、斜め下方から見て図示し、カバー体２０は、斜め上方からみて図示している。
【００１７】
まず、煙感知器Ａの概略構成を図１乃至図３に基づいて説明する。
図例の煙感知器Ａは、大略的に、煙感知器本体１０と、煙感知器本体１０に対して着脱自在に取付けられるカバー体２０とを備えている。
煙感知器本体１０は、住宅などの天井面あるいは内壁面に取付けられる円板状のベースプレート１１と、ベースプレート１１に取付けられたベース部１２と、ベース部１２に取付けられ煙感知室を構成するヘッド部１３とを備えている。
ベースプレート１１には、後記する各部を制御するＭＰＵ１、煙を検知する煙検知センサ２、火災警報を停止するための警報停止スイッチ５、制御プログラムなどを格納するメモリ６及びその他の電子部品を実装した回路基板（不図示）が固着され、この回路基板を内包するようにベース部１２がベースプレート１１に取付けられている。
この回路基板には、リード線等を介して後記するカバー体２０の取外しを促すための取外要求信号を出力する各報知手段３、火災警報を報知するスピーカ７ａ及び警報用ＬＥＤ７ｂ、後記するカバー体検知スイッチ８などが接続されている。
【００１８】
ＭＰＵ１は、各部を制御する制御手段を構成し、後記する煙検知センサ２からの煙検知信号に基づいて、火災を判別し、また、後記するように、報知手段３を作動して、カバー体２０の取外しを促すための取外要求信号を出力させる。また、ＭＰＵ１は、後記する待機時間を計時するためのタイマ１ａを備えている。
尚、ＭＰＵ１による火災の判別は、例えば、煙検知信号が予め設定された閾値を超えているか否かを判別して、火災警報を鳴動させるようにしてもよい。
【００１９】
煙検知センサ２は、煙検知手段を構成し、発光ダイオード等の発光部と、フォトダイオード等の受光部とで構成されたいわゆる光電式センサであって、これらがヘッド部１３へ向けて上記回路基板から突設され、後記する煙流入孔１３ａから流入した煙を検知して、煙検知信号を出力する。
尚、煙検知センサ２による煙の検知は、例えば、発光部からの光を直接、受光しない位置に受光部を配置し、煙の流入により発生する散乱光を受光部で受光することで検知するようにしてもよい。
また、煙検知手段としては、煙の検知が可能なものであればよく、例えば、光電式センサではなくイオン化式センサであってもよい。
【００２０】
報知手段３は、ＭＰＵ１に制御され、後記するようにカバー体２０の取外しを促すための取外要求信号を出力するものであって、本実施形態では、以下を例示している。
すなわち、報知手段３は、音または音声メッセージを鳴動することで取外要求信号を出力するスピーカ３ａ、点灯あるいは点滅することで取外要求信号を出力する報知用ＬＥＤ３ｃ（光源）を備えている。
これら各報知手段は、いずれか一つのみ、あるいは、複数を組み合わせて構成するようにしてもよい。
【００２１】
本実施形態では、火災警報を鳴動するためのスピーカ７ａを、取外要求信号を出力するためのスピーカ３ａとして共用している。このように共用した場合は、火災警報時の鳴動態様と、取外要求時の鳴動態様とを異ならせることが好ましい。例えば、異なる音色にしたり、異なるメッセージを鳴動させたりしてもよい。また、音量を例えば、火災警報時には、８０ｄＢ〜１００ｄＢ程度とし、取外要求鳴動の際には、５０ｄＢ〜７０ｄＢ程度としてもよい。
報知用ＬＥＤ３ｃは、警報用ＬＥＤ７ｂとは異なる発光色で発光する構成とされている。
【００２２】
尚、報知用ＬＥＤ３ｃを設けず、警報用ＬＥＤ７ｂを取外要求信号出力のためのＬＥＤ３ｂとして共用するようにしてもよい。この場合は、火災警報時と取外要求信号出力時とで点灯態様を異ならせることが好ましい。
また、本実施形態では、火災警報を鳴動するためのスピーカ７ａと、取外要求信号を出力するためのスピーカ３ａとを共用した例を示しているが、取外要求信号を出力するためのスピーカなどの音響出力手段を別途、備える構成としてもよい。
【００２３】
ベース部１２は、上記回路基板を内包する空間を有した円筒状体で、後記するヘッド部１３が取付けられる開口を形成した表面部１２ａを有している。
上記開口から煙検知センサ２が突出し、煙検知センサ２が、後記するヘッド部１３内の空間に臨んでいる。
表面部１２ａに開設された開口の開口縁近傍には、後記するカバー体２０が着脱自在に取付けられるカバー体取付部４が形成されている。このカバー体取付部４には、後記するカバー体２０が備える係合突起２０ｂと係合する係合孔４ａが形成されるとともに、カバー体検知スイッチ８が設けられている。
【００２４】
カバー体検知スイッチ８は、上記ＭＰＵ１とでカバー体検知手段を構成し、後記するカバー体２０が取付けられることによって押下げられ、カバー体取付け有を検知し、カバー体２０が取外されると押下げが解除され、カバー体取付け無を検知する構成とされている。
尚、カバー体検知手段としては、本実施形態のようなスイッチではなく、カバー体２０の取付け有無を検知可能なものであればどのようなものでもよい。例えば、赤外線センサ、磁気センサなどとしてもよい。
【００２５】
ベース部１２の表面部１２ａには、警報停止スイッチ５を操作するための透光性の操作ボタン５ａが設けられている。この操作ボタン５ａの内面側には、上記した警報用ＬＥＤ７ｂ及び報知用ＬＥＤ３ｃが配設されており、操作ボタン５ａは、警報停止スイッチ５を操作するためだけではなく、これらＬＥＤ７ｂ，３ｃからの光を透過させる発光部としての機能をも有する。
また、ベース部１２の外周面からは、警報停止スイッチ５を操作するための引き紐５ｂが延出されており、上記操作ボタン５ａ、引き紐５ｂのいずれの操作によっても警報停止スイッチ５の操作がなされる構成としている。
【００２６】
ヘッド部１３は、上記煙検知センサ２を受入れる空間を有し、室内スペース側に底部１３ｂを有した円筒状体で、その側周面には、煙を取込むための複数の煙流入孔１３ａが開設されている。
ヘッド部１３の底部１３ｂの内面側には、円板状のスピーカ７ａが配設され、底部１３ｂには、複数のスピーカ用孔１３ｃが開設されている。
尚、ヘッド部１３の煙流入孔１３ａからの虫や埃等の侵入を防止する防虫カバーなどをヘッド部１３内に更に備えたものとしてもよい。
【００２７】
カバー体２０は、ヘッド部１３を受入れるための煙感知器本体１０側に開口する空間Ｓを有した有底円筒状体で、開口周縁の上端面２０ａの適所には、前記カバー体取付部４に形成された係合孔４ａと係合する係合突起２０ｂが形成されている。係合突起２０ｂは、略逆Ｌ字形状とされ、係合孔４ａに挿入されて、カバー体２０の回転がなされることで、カバー体２０がカバー体取付部４に係止保持される。
このカバー体２０がヘッド部１３を受け入れ、カバー体取付部４に取付けられると、カバー体２０の上端面２０ａによって、カバー体検知スイッチ８が押圧操作され、カバー体２０が取付けられたことの検知がなされる（カバー体取付け有）。また、カバー体２０をカバー体取付部４から取外すと、カバー体検知スイッチ８の押圧が解除されて、カバー体の取外しがなされたことを検知する（カバー体取付け無）。
【００２８】
カバー体２０がカバー体取付部４に取付けられた状態では、図３に示すように、ベース部１２の表面部１２ａから突出したヘッド部１３は、カバー体２０によって、覆い隠され、これにより、ヘッド部１３の煙流入孔１３ａが閉塞され、煙の検知がなされない状態となっている。
このように、カバー体２０を、煙感知器本体１０とは、別体とすることで、煙感知器自体の構造は、複雑化、大型化することがなく、簡易な構成となる。
尚、本実施形態では、カバー体２０に係合突起２０ｂを形成するとともに、カバー体取付部４に係合孔４ａを形成しているが、このような態様に限らず、カバー体２０をカバー体取付部４に着脱自在に取付け可能な構成とすればよい。例えば、カバー体２０を可撓性や弾性を有した樹脂材等で構成するとともに、カバー体取付部４に嵌合溝を形成して、カバー体２０の上端部を該嵌合溝に圧入することによって取付けるようにしてもよい。あるいは、互いにネジ山、ネジ溝をそれぞれ設けて、螺合させることでカバー体２０を取付けるようにしてもよい。
【００２９】
また、カバー体２０とカバー体取付部４との当接部に、気密性を高めるためのシール部材を設けるようにしてもよい。
さらに、本実施形態では、カバー体２０は、円筒状に形成されたヘッド部１３の形状に合わせて、円筒形状のものを例示しているが、ヘッド部１３を覆い、煙流入孔１３ａの閉塞が可能な形状や大きさとすればよく、例えば、ヘッド部１３が角形状であれば、その形状に合わせてカバー体２０を、角形状に形成してもよい。
【００３０】
次に、前記構成とされた煙感知器Ａにおける基本動作の一例を図４に基づいて説明する。
カバー体２０の取付け有の検知がなされない状態では、煙検知センサ２による煙の検知が可能な通常監視モードが継続される（Ｓ１００，Ｓ１０１）。
この通常監視モードでは、煙検知センサ２からの煙検知信号に基づいて火災の判別を行い、火災と判別すると、火災警報をスピーカ７ａから鳴動させるとともに、警報用ＬＥＤ７ｂを点灯あるいは点滅させる。上記火災警報は、例えば、ブザー音を鳴動、あるいは「ビュー、ビュー、火事です。」といった音声メッセージを鳴動するようにしてもよい。また、上記警報用ＬＥＤ７ｂの光色は、例えば、報知用ＬＥＤ３ｃが緑色に発光するものであれば、それとは異なる赤色としてもよい。
【００３１】
一方、前記のようにカバー体２０がカバー体取付部４に取付けられ、カバー体検知スイッチ８が押下げられて、カバー体２０の取付け有を検知すると、タイマ１ａを起動して計時を開始する（Ｓ１００，Ｓ１０２）。
タイマ１ａを起動し、予め設定された待機時間（例えば、１０分）を経過すると、報知手段３を作動し、カバー体２０の取外しを促すための取外要求信号を出力させる（Ｓ１０３，Ｓ１０４）。
すなわち、カバー体２０がカバー体取付部４に取付けられて、カバー体２０の取付け有を検知した後、その状態が、予め設定された待機時間継続したときには、報知手段３に、取外要求信号を出力させるようにしている。
【００３２】
取外要求信号の出力は、前記したように、スピーカ７ａ（３ａ）からブザー音を鳴動、あるいは、「カバーを取外して下さい。」などの音声メッセージを鳴動させたり、報知用ＬＥＤ３ｃ（３ｂ）を点灯または点滅させたりすることによりなされる。
この取外要求信号出力中に、カバー体２０が取外され、カバー体２０の取付け無を検知すると、取外要求信号の出力を停止させ、タイマ１ａをリセットし、通常監視モードに復帰する（Ｓ１０６，Ｓ１０７，Ｓ１０１）。
また、ステップ１００において、カバー体２０の取付け有を検知し、タイマ１ａを起動した後に、上記待機時間が経過する前に、カバー体２０が取外され、カバー体２０の取付け無を検知すると、タイマ１ａをリセットし、通常監視モードに復帰する（Ｓ１０２，Ｓ１０３，Ｓ１０８，Ｓ１０７，Ｓ１０１）。
【００３３】
すなわち、上記においては、カバー体２０が取付けられ、取外要求信号の出力を開始した後は、カバー体２０の脱離がなされない限り、取外要求信号を出力し続ける動作例を示している。
これによれば、カバー体２０の脱離がなされるまで、取外要求信号の出力がなされるので、カバー体２０の取外しを確実に促すことができる。
また、カバー体２０を取外せば、直ちに取外要求信号の出力が停止され、省エネルギ化が図れる。
【００３４】
尚、上記待機時間は、予めメモリ６などに格納されているもので、例えば、１０分としているが、適宜、設定可能である。
また、上記動作例では、カバー体２０の脱離がなされるまで、取外要求信号を出力し続けるようにしているが、例えば、所定時間出力した後に停止させたり、あるいは、警報停止スイッチ５の操作がなされることにより停止させたりしてもよい。または、所定時間出力した後に、時間を置いて繰り返し出力させるような、いわゆるスヌーズ出力をさせるようにしてもよい。
【００３５】
以上のように、本実施形態に係る煙感知器Ａによれば、カバー体２０をカバー体取付部４に取付けることで、煙流入孔１３ａが閉塞され、喫煙の際や害虫駆除燻煙を焚く際等、非火災煙を発生させる際に、それらの煙を検知することによる誤報を防止できる。
また、カバー体２０が取付けられ、予め設定された待機時間を経過すると、カバー体２０の取外しを促すための取外要求信号を、報知手段３から出力させるので、カバー体２０の取り忘れを家人等に促すことができ、よって、カバー体２０の取り忘れを防止できる。
また、火災警報を鳴動するためのスピーカ７ａを、取外要求信号を出力するためのスピーカ３ａとして共用しているので、煙感知器自体の構造が簡略化され、大型化することもない。
【００３６】
さらに、取外要求信号として、上記のようにスピーカ７ａ（３ａ）から音または音声メッセージを鳴動させるとともに、報知用ＬＥＤ３ｃ（３ｂ）を点灯あるいは点滅させるようにしているので、カバー体２０の取外しを、家人に対して強く促すことができる。
あるいは、取外要求信号として報知用ＬＥＤ３ｃ（３ｂ）を点灯あるいは点滅させることによってのみ出力するようにしてもよい。これによれば、取外要求信号として音などを出力する場合と比べて、家人を驚かせたりすることがなく、また、近隣の住民へ不安感や不快感を与えたりすることがない。
【００３７】
次に、本発明に係る他の実施の形態について、図面を参照しながら説明する。
図５及び図６は、第２実施形態に係る煙感知器を示し、図５は、煙感知器の内部構成を示すブロック図、図６（ａ）は、カバー体が取付けられていない状態を示す概略斜視図、図６（ｂ）は、カバー体が取付けられた状態を示す概略斜視図である。
尚、第１実施形態との相違点を中心に説明し、第１実施形態と同様の構成については、同一符号を付し、説明を省略する。
また、図６においては、煙感知器Ｂが天井面に取付けられた状態を図示しており、図６（ａ）では、煙感知器本体１０Ａは、斜め下方から見て図示し、カバー体２０は、斜め上方からみて図示している。
【００３８】
本実施形態に係る煙感知器Ｂは、複数の待機時間を選択設定するための選択設定手段９を備えている。選択設定手段９は、煙感知器本体１０Ａのベース部１２の外周面に形成された待機時間設定スライド９ａを備えている。この待機時間設定スライド９ａのスライドバーをスライド操作することで、待機時間として、短・中・長の選択設定を可能としている。
本実施形態では、複数の待機時間として、短（１０分）、中（１時間）、長（３時間）の３つの異なる待機時間をメモリ６に記憶させている。
【００３９】
上記構成とされた煙感知器Ｂでは、カバー体２０を取付け前に、スライドバーを操作し、待機時間の選択設定を行う（図例では、スライドバーが「中」に位置している）。
その後は、前記第１実施形態と同様、タイマ１ａを起動して、選択設定された待機時間に応じて、取外要求信号の出力がなされる。
すなわち、図例のようにスライドバーが「中」に位置している場合は、カバー体２０の取付け有を検知した後に、その状態が、１時間継続したときには、報知手段３に取外要求信号を出力させる。
【００４０】
本実施形態では、上記のように、複数の待機時間の中から所望の待機時間を選択設定できるようにしているので、非火災煙を発生させる要因、例えば、喫煙、害虫駆除用の燻煙等に応じて、待機時間の選択ができる。これにより、不必要に取外要求信号の出力がなされることを防止できる。
【００４１】
尚、本実施形態では、待機時間を選択設定するための選択設定手段９として、待機時間設定スライド９ａを適用しているが、これに限らず、例えば、調節つまみ等としてもよい。
また、本実施形態では、異なる複数の待機時間として３つの待機時間を例示しているが、それぞれの設定時間は、例示であり、適宜、設定可能である。
さらに、待機時間の設定数も３つに限らず、２つ、あるいは４つ以上の中から選択設定可能としてもよい。
あるいは、操作キーなどを更に備え、所望の待機時間の入力が可能なようにしてもよい。
【００４２】
次に、本発明に係る更に他の実施の形態について、図面を参照しながら説明する。
図７は、第３実施形態に係る煙感知器を示し、（ａ）は、カバー体が取付けられていない状態を示す概略斜視図、（ｂ）は、カバー体が取付けられた状態を示す概略斜視図である。
尚、第１実施形態及び第２実施形態との相違点を中心に説明し、第１実施形態及び第２実施形態と同様の構成については、同一符号を付し、説明を省略する。
また、図７においては、煙感知器Ｃが内壁面に取付けられた状態を図示している。
【００４３】
本実施形態に係る煙感知器Ｃは、住宅などの内壁面に取付けられる内壁面専用タイプであって、前記第１実施形態及び第２実施形態とは、煙感知器本体１０Ｂの形状が主に異なる。
この煙感知器本体１０Ｂでは、ベースプレート１１Ａは、矩形板状とされ、それに合わせてベース部１２Ａも箱状体とされている。
また、スピーカ７ａは、ヘッド部１３ではなくベース部１２Ａの内部に設けられており、ベース部１２Ａの表面部１２ａには、前記第１実施形態及び第２実施形態と同様の複数のスピーカ孔１３ｃが開設されている。すなわち、ヘッド部１３には、スピーカ用孔が形成されていない。
また、待機時間設定スライド９ａは、ベース部１２Ａの側周面ではなく、表面部１２ａに設けられている。
このような内壁面専用タイプでは、操作性が良いものとなる。
【００４４】
尚、前記した各実施形態では、煙検知センサ２を備えて煙を感知する例について説明したが、サーミスタ等の熱検知センサを更に備え、熱感知機能を併せ持つ複合型の火災警報器としてもよい。
また、各実施形態では、一般戸建て住宅などに単体で使用される住宅用火災警報器としての煙感知器について説明したが、複数の煙感知器を信号線等で接続した火災警報システムに適用するようにしてもよい。
【図面の簡単な説明】
【００４５】
【図１】本発明に係る煙感知器の実施形態の一例の内部構成を示すブロック図である。
【図２】同実施形態に係る煙感知器を示し、カバー体が取付けられていない状態を示す概略斜視図である。
【図３】同実施形態に係る煙感知器を示し、カバー体が取付けられた状態を示す概略斜視図である。
【図４】同実施形態に係る煙感知器の基本動作の一例を示すフローチャートである。
【図５】本発明に係る煙感知器の実施形態の他例の内部構成を示すブロック図である。
【図６】同実施形態に係る煙感知器を示し、（ａ）は、カバー体が取付けられていない状態を示す概略斜視図、（ｂ）は、カバー体が取付けられた状態を示す概略斜視図である。
【図７】本発明に係る煙感知器の実施形態の更に他例を示し、（ａ）は、カバー体が取付けられていない状態を示す概略斜視図、（ｂ）は、カバー体が取付けられた状態を示す概略斜視図である。
【符号の説明】
【００４６】
１      ＭＰＵ（制御手段）
２      煙検知センサ（煙検知手段）
３      報知手段
３ａ      スピーカ（報知手段）
３ｂ      警報用ＬＥＤ（光源、報知手段）
３ｃ      報知用ＬＥＤ（光源、報知手段）
４      カバー体取付部
６      メモリ（記憶手段）
８      カバー体検知スイッチ（カバー体検知手段）
９      選択設定手段
９ａ      待機時間設定スライド（選択設定手段）
１３      ヘッド部（煙感知室）
１３ａ      煙流入孔
２０      カバー体
Ａ、Ｂ、Ｃ      煙感知器
【図１】
0004656101.tif 000002
【図２】
0004656101.tif 000003
【図３】
0004656101.tif 000004
【図４】
0004656101.tif 000005
【図５】
0004656101.tif 000006
【図６】
0004656101.tif 000007
【図７】
0004656101.tif 000008